(57)【要約】  【課題】  小型でより操作力を軽くできる扉開閉機構を提供する。  【解決手段】  開口部を有した本体部６に取り付けられる扉２ａを開口部の周囲に接離して開口部を開閉する扉開閉機構において、シャフト５１により扉２ａに軸支されるとともに操作部５ａを把持して回動するハンドル５を設けるとともに、扉２ａに回動自在に取り付けられる第２軸部３２ｂと、シャフト５１に対して操作部５ａと同じ側でハンドル５に回動自在に連結される第１軸部３２ａと、第２軸部３２ｂに対して第１軸部３２ａと反対側に配されて本体部６に設けたスライド外カム１２に対向配置されるカムレバー３１とを有するレバー部材３０を備え、操作部５ａを引くとカムレバー３１がスライド外カム１２を押圧して扉２ａが開口部の周囲から所定間隔離隔される。【選択図】      図６
2006125122.tif 000002
【特許請求の範囲】
【請求項１】
開口部を有した本体部に取り付けられる扉を前記開口部の周囲に接離して前記開口部を開閉する扉開閉機構において、
前記扉に軸支されるとともに操作部を把持して回動するハンドルと、
前記扉に回動自在に取り付けられる支持部と、前記ハンドルの回動軸に対して前記操作部と同じ側で前記ハンドルに回動自在に連結される連結部と、前記支持部に対して前記連結部と反対側に配されて前記開口部の周囲に対向配置される当接部とを有するレバー部材と、
を備え、前記操作部を引くと前記当接部が前記本体部を押圧して前記扉が前記開口部の周囲から所定間隔離隔されることを特徴とする扉開閉機構。
【請求項２】
前記レバー部材は平行に配された第１、第２軸部により前記連結部及び前記支持部を形成するクランクシャフトを有し、前記当接部を第２軸部に垂設して、前記ハンドルの回動軸に垂直な異なる面内に前記操作部と前記当接部とを配置したことを特徴とする請求項１に記載の扉開閉機構。
【請求項３】
前記ハンドルに設けた長孔に第１軸部を遊嵌したことを特徴とする請求項２に記載の扉開閉機構。
【請求項４】
前記ハンドルの回動軸と前記当接部とを前記連結部に対して反対側に配置したことを特徴とする請求項１〜請求項３のいずれかに記載の扉開閉機構。
【請求項５】
前記扉は前記本体部に回動可能に保持され、前記扉の回動により前記開口部を開閉したことを特徴とする請求項１〜請求項４のいずれかに記載の扉開閉機構。
【請求項６】
前記ハンドル及び前記レバー部材を前記扉の両側に対称に設けるとともに、前記扉と前記本体部との係合及び離脱を行う２つのカム機構を前記扉の両側に対称に設け、
前記扉の閉止状態で両側の前記カム機構が対称な第１係止位置をとり、前記扉の一方を開く際に前記扉が該一方の外側に向かってスライド移動して他方の前記カム機構が第２係止位置に移行することにより前記扉が回動自在にロックされ、
前記ハンドルの回動軸よりも前記操作部を前記扉の中央側に配置したことを特徴とする請求項５に記載の扉開閉機構。
【請求項７】
前記扉は前記本体部に対して前後にスライド可能に保持され、前記扉が前後にスライドして前記開口部を開閉したことを特徴とする請求項１〜請求項４のいずれかに記載の扉開閉機構。
【請求項８】
開口部を有した本体部に取り付けられる扉を前記開口部の周囲に接離して前記開口部を開閉する扉開閉機構において、前記扉に軸支されたハンドルと前記開口部の周囲に対向配置される当接部とを有して前記ハンドルの回動時の操作力を前記当接部に伝達する倍力機構を備え、前記ハンドルを回動した際に前記当接部が前記本体部を押圧して前記扉を前記開口部の周囲から所定間隔離隔させることを特徴とする扉開閉機構。
【発明の詳細な説明】
【技術分野】
【０００１】
本発明は、冷蔵庫等の扉を開閉させる扉開閉機構に関する。
【背景技術】
【０００２】
開口部を有した本体部に取付けられた扉が開口部の周囲に接離して開口部を開閉する従来の扉開閉機構は特許文献１に開示されている。この扉開閉機構は本体部に扉が回動可能に設けられ、扉にはハンドルが軸支される。ハンドルは使用者が把持して操作する操作部を有し、ハンドルの回動軸に対して操作部と反対側の端部は開口部の周囲に対向して配置される。操作部を引いてハンドルを回動すると、てこの原理によって該端部が本体部を押圧する。これにより、小さい操作力で扉が開口部の周囲から所定間隔離隔され、更に操作部を引くことにより扉が回動して開成される。
【特許文献１】特開２０００−１８８０３号公報（第２頁−第３頁、第３図）
【発明の開示】
【発明が解決しようとする課題】
【０００３】
しかしながら、上記従来の扉開閉機構によると、ハンドルの操作力を軽くするためには操作部を長くする必要がある。加えて、本体部を押圧する端部が操作部と反対側に配置される。このため、ハンドルが大型になり、回動半径が大きく操作性が低下する問題があった。また、ハンドルを設置するスペースが制限される場合には、操作部と回動軸とが接近して操作力を充分軽くすることができない問題があった。
【０００４】
本発明は、小型でより操作力を軽くできる扉開閉機構を提供することを目的とする。
【課題を解決するための手段】
【０００５】
上記目的を達成するために本発明は、開口部を有した本体部に取り付けられる扉を前記開口部の周囲に接離して前記開口部を開閉する扉開閉機構において、
前記扉に軸支されるとともに操作部を把持して回動するハンドルと、
前記扉に回動自在に取り付けられる支持部と、前記ハンドルの回動軸に対して前記操作部と同じ側で前記ハンドルに回動自在に連結される連結部と、前記支持部に対して前記連結部と反対側に配されて前記開口部の周囲に対向配置される当接部とを有するレバー部材と、
を備え、前記操作部を引くと前記当接部が前記本体部を押圧して前記扉が前記開口部の周囲から所定間隔離隔されることを特徴としている。
【０００６】
この構成によると、操作部を把持して引くと連結部を介してハンドルに連結されるレバー部材が支持部を回動中心として回動する。レバー部材の回動によって当接部が回動して開口部の周囲が押圧される。ハンドルの操作力はてこの原理により増幅して連結部に伝えられ、更にレバー部材で増幅して当接部に伝えられる。また、ハンドルの回動軸に対して操作部と連結部が同じ側に配置され、ハンドルとレバー部材が平面視または正面視において重なって配置される。尚、ハンドルとレバー部材は回動中心が異なるため支持部及び連結部の少なくとも一方は扉またはハンドルに遊嵌される。
【０００７】
また本発明は、上記構成の扉開閉機構において、前記レバー部材は平行に配された第１、第２軸部により前記連結部及び前記支持部を形成するクランクシャフトを有し、前記当接部を第２軸部に垂設して、前記ハンドルの回動軸に垂直な異なる面内に前記操作部と前記当接部とを配置したことを特徴としている。この構成によると、レバー部材は第１軸部でハンドルに連結され、第２軸部で扉に支持される。レバー部材はハンドルの操作力が第１軸部に伝えられて第２軸部を回動軸として当接部が回動する。
【０００８】
また本発明は、上記構成の扉開閉機構において、前記ハンドルに設けた長孔に第１軸部を遊嵌したことを特徴としている。この構成によると、ハンドルの回動に伴って第１軸部が長孔内を相対的に移動して係合し、クランクシャフトが回動する。
【０００９】
また本発明は、上記構成の扉開閉機構において、前記ハンドルの回動軸と前記当接部とを前記連結部に対して反対側に配置したことを特徴としている。この構成によると、ハンドルの幅内にレバー部材を配置できるとともに、ハンドルの回動軸と連結部との距離を短くできる。
【００１０】
また本発明は、上記構成の扉開閉機構において、前記扉は前記本体部に回動可能に保持され、前記扉の回動により前記開口部を開閉したことを特徴としている。この構成によると、ハンドルを引くと扉が回動して開成される。
【００１１】
また本発明は、上記構成の扉開閉機構において、前記ハンドル及び前記レバー部材を前記扉の両側に対称に設けるとともに、前記扉と前記本体部との係合及び離脱を行う２つのカム機構を前記扉の両側に対称に設け、
前記扉の閉止状態で両側の前記カム機構が対称な第１係止位置をとり、前記扉の一方を開く際に前記扉が該一方の外側に向かってスライド移動して他方の前記カム機構が第２係止位置に移行することにより前記扉が回動自在にロックされ、
前記ハンドルの回動軸よりも前記操作部を前記扉の中央側に配置したことを特徴としている。
【００１２】
この構成によると、例えばハンドルが扉の左右端に設けられ、左側のハンドルを引くと扉が左側から前方に回動するとともに左方向にスライド移動し、左側のカム機構の係合が解除して右側のカム機構が第１係止位置から第２係止位置に移動する。右側のカム機構は第２係止位置で枢支軸を保持して扉が回動する。
【００１３】
また本発明は、上記構成の扉開閉機構において、前記扉は前記本体部に対して前後にスライド可能に保持され、前記扉が前後にスライドして前記開口部を開閉したことを特徴としている。この構成によると、ハンドルを引くと扉が前方へスライド移動して開成される。
【００１４】
また本発明は、開口部を有した本体部に取り付けられる扉を前記開口部の周囲に接離して前記開口部を開閉する扉開閉機構において、前記扉に軸支されたハンドルと前記開口部の周囲に対向配置される当接部とを有して前記ハンドルの回動時の操作力を前記当接部に伝達する倍力機構を備え、前記ハンドルを回動した際に前記当接部が前記本体部を押圧して前記扉を前記開口部の周囲から所定間隔離隔させることを特徴としている。この構成によると、ハンドルを把持して引くと倍力機構により操作力が増幅されて当接部に伝えられ、当接部により開口部の周囲を押圧して扉が開かれる。
【発明の効果】
【００１５】
本発明によると、扉に回動自在に取り付けられる支持部と、ハンドルの回動軸に対して操作部と同じ側でハンドルに回動自在に連結される連結部と、支持部に対して連結部と反対側に配されて前記開口部の周囲に対向配置される当接部とを有するレバー部材を備えたので、ハンドルとレバー部材を重なるように配置して扉開閉機構を小型にできるとともに、レバー部材により操作部を引く操作力を増幅して軽い操作力で扉を開くことができる。
【００１６】
また本発明によると、レバー部材が第１、第２軸を有するクランクシャフトを有するので、小型で操作力の軽い扉開閉機構を容易に実現することができる。また、開口部の周囲に対向配置される当接部から離れて所望の位置にハンドルを配置することができる。
【００１７】
また本発明によると、ハンドルに設けた長孔に第１軸部を遊嵌したので、支持部を扉に回転自在に固定して当接部による押圧位置を一定にすることができる。
【００１８】
また本発明によると、ハンドルの回動軸と当接部とを連結部に対して反対側に配置したので、扉開閉機構をより小型化できるとともにより軽い操作力で扉を開くことができる。
【００１９】
また本発明によると、扉の両側にカム機構を有し、扉の一方を開く際に前記扉が該一方の外側に向かってスライド移動して、ハンドルの回動軸よりも操作部を扉の中央側に配置したので、操作部を引く際に扉を容易にスライド移動させることができ、扉開閉機構の操作性を向上することができる。
【００２０】
また本発明によると、ハンドルの操作力を当接部に伝達する倍力機構を設けたので、扉開閉機構を小型にできるとともに、軽い操作力で扉を開くことができる。
【発明を実施するための最良の形態】
【００２１】
以下に本発明の実施形態を図面を参照して説明する。図１は一実施形態の扉開閉機構を備えた冷蔵庫示す正面図である。冷蔵庫１は上段に冷蔵室２が設けられ、下段に野菜室３と冷凍室４とが左右に並んで配置される。冷蔵室２は左右両開きの扉２ａにより本体部６（図４参照）の前面を覆われ、詳細を後述するように左右に対称に設けられたハンドル５の操作によって左右どちらからでも開閉可能になっている。
【００２２】
図２、図３は冷蔵室２の本体部６（図４参照）側の下部に配されるヒンジアングル１０の左半分を示す正面図及び上面図である。ヒンジアングル１０は亜鉛メッキ鋼板等の金属により左右対称に形成され、本体部６にネジ止めされる。ヒンジアングル１０にはステンレス等から成るヒンジピン１１及びロック外カム１２がカシメ止めによって左右対称に設けられている。
【００２３】
また、ヒンジアングル１０の上面にはインサート成形によりヒンジカバー１０ａが設けられている。ヒンジピン１１は扉２ａの枢支軸となり、ヒンジピン１１と同心の円弧状のリブ１３がヒンジカバー１０ａと一体に形成されている。ロック外カム１２はヒンジピン１１から所定距離離れて配置され、スライド外カム２２（図４参照）と摺動して扉２ａを案内する。
【００２４】
図４は扉２ａの下端の左側に設けられるスライドカム部材２０とヒンジアングル１０との係合関係を示す平面図である。スライドカム部材２０は扉２ａの左右端に対称に設けられる。スライドカム部材２０の端部にはヒンジピン１１を相対的に摺動案内する略Ｌ字型に連続した第１、第２溝カム２４、２５が凹設されている。
【００２５】
第２溝カムの周囲にはリブ１３と摺動するボス２３が突設されている。第１、第２溝カム２４、２５の右方には溝部２１が凹設される。溝部２１内にはロック外カム１２に対向するスライド外カム２２が突設される。これにより、スライドカム部材２０及びヒンジアングル１０は互いに係合して扉２ａを案内するカム機構を構成する。尚、同図において、スライドカム部材２０の上記各構成は下面に設けられるが、便宜上、実線で示している。
【００２６】
また、スライドカム部材２０は扉２ａの上面にも左右対称に設けられ、本体部６の上方にはスライドカム部材２０に係合するヒンジピン１１、ロック外カム１２及びリブ１３が設けられている。
【００２７】
扉２ａの下面に配されるスライドカム部材２０の溝部２１内にはカムレバー３１が配置されている。カムレバー３１はロック外カム１２に対向配置され、扉２ａに支持されたクランクシャフト３２（図５参照）の第２軸部３２ｂを回動中心として回動する。
【００２８】
図５、図６、図７は扉２ａの左下部を示す正面断面図、上面断面図及び側面断面図である。また、図８は図５のＡ−Ａ断面図である。ハンドル５は扉２ａに設けられたシャフト受け７に嵌合するシャフト５１で軸支される。これにより、ハンドル５はシャフト５１が回動軸となり、操作部５ａを把持して前方に引くことにより回動する。シャフト５１にはねじりバネ５５が挿通される。ねじりバネ５５は回動するハンドル５を元の位置に復帰させる。
【００２９】
ハンドル５はハンドル本体部５２、ハンドル補強アングル５３及びハンドル装飾板５４から成っている。図９（ａ）〜（ｃ）はハンドル本体部５２を示す平面図、正面図及び側面図である。ハンドル本体部５２は樹脂成形品から成り、シャフト５１が挿通される挿通孔５２ａが一端に設けられる。挿通孔５２ａよりも扉２ａの中央側が開放端となり、使用者が把持する操作部５ａが形成される。
【００３０】
図１０（ａ）、（ｂ）はハンドル補強アングル５３を示す平面図及び正面図である。ハンドル補強アングル５３は金属板から成り、ハンドル本体部５２の前面に取付けられる。ハンドル補強アングル５３の一端にはシャフト５１が挿通される挿通孔５３ａが形成される。挿通孔５３ａに対して操作部５ａと同じ側には、クランクシャフト３２の第１軸部３２ａ（図１２参照）が挿通される長孔５３ｂが設けられる。
【００３１】
図１１（ａ）〜（ｃ）はハンドル装飾板５４を示す平面図、正面図及び側面図である。ハンドル装飾板５４は樹脂成形品から成り、裏面側に突設される係合爪５４ａが係合孔５２ｂ（図９参照）に係合してハンドル本体部５２に取付けられる。
【００３２】
図１２はクランクシャフト３２を示す正面図である。クランクシャフト３２は平行な第１、第２軸部３２ａ、３２ｂを有し、第２軸部３２ｂの下端を折曲して屈曲部３２ｃが形成されている。屈曲部３２ｃにはカムレバー３１が取り付けられる。第１軸部３２ａはハンドル補強アングル５３の長孔５３ｂに挿通して遊嵌され、ハンドル５とクランクシャフト３２を連結する連結部を構成する。クランクシャフト３２でハンドル５とカムレバー３１とを連結することにより、本体部６の開口部の周囲に対向配置されるカムレバー３１から上下に離れた所望の位置にハンドル５を配置して利便性を向上することができる。
【００３３】
扉２ａにはハンドル５の下方にシャフトカバー５６が設けられる。図１３（ａ）〜（ｃ）はシャフトカバー５６を示す平面図、正面図及び側面図である。シャフトカバー５６は樹脂成形品から成り、断面Ｕ字型の嵌合部５６ａによりクランクシャフト３２の第２軸部３２ｂ（支持部）を回動自在に支持する。また、第１軸部３２ｂが回動可能な平面視略扇形の空間部５６ｂを有している。これにより、クランクシャフト３２及びカムレバー３１はハンドル５の回動によって第２軸部３２ｂを回動中心として回動するレバー部材３０を構成する。
【００３４】
ハンドル５の操作部５ａを引くと、操作力が長孔５３ａを介して第１軸部３２ａに伝えられ、第１軸部３２ａが空間部５６ｂ内を前方に回動する。第１軸部３２ａの回動によりクランクシャフト３２は第２軸部３２ｂを回動中心として回動し、カムレバー３１が後方に回動してロック外カム１２を押圧する。これにより、図１４に示すように、扉２ａが開口部の周囲から所定間隔離隔される。
【００３５】
この時、操作部５ａとシャフト５１との距離に対して第１軸部３２ａ（連結部）とシャフト５１との距離が小さく、操作部５ａの操作力が増幅される。また、第１軸部３２ａと第２軸部３２ｂとの距離に対して第２軸部３２ｂとカムレバー３１のロック外カム１２に当接する部分との距離が小さくなっている。これにより、操作力が更に増幅される。従って、ハンドル５及びレバー部材３０によって倍力機構を構成し、軽い操作力でロック外カム１２を押圧することができる。
【００３６】
また、シャフト５１に対して操作部５ａと第１軸部３２ａとは同じ側に配置されるため、ハンドル５とレバー部材３０とが平面視重なって配置される。これにより、ハンドル５の左右方向の幅内にレバー部材３０が設けられる。従って、ハンドル５の大きさが制限された場合でも、操作部５ａとシャフト５１との距離を長くとって小型で操作力の増幅率の大きい扉開閉機構を得ることができる。扉２ａ下端のスペースがある場合はハンドル５の幅からレバー部材３０をはみ出して配置してもよい。
【００３７】
また、シャフト５１とカムレバー３１とを第１軸部３２ａに対して反対側に配置しているので、ハンドル５の左右方向の幅内にレバー部材３０を設けつつ、シャフト５１と第１軸部３２ａとの距離を短くすることができる。従って、操作力をより大きく増幅させることができる。
【００３８】
尚、第１軸部３２ａと第２軸部３２ｂとの距離に対して第２軸部３２ｂとカムレバー３１のロック外カム１２に当接する部分との距離を略等しく若しくは若干長く形成してもよい。このようにすると、レバー部材３０による操作力の増幅効果は得られない。しかし、操作部５ａとシャフト５１との距離を長くとって小型で操作力の増幅率の大きい扉開閉機構を得ることができる。
【００３９】
また、ハンドル５とレバー部材３０とは回動中心が異なるため、これらを連結する第１軸部３２ａは長孔５３ａに遊嵌されている。第１軸部３２ａをハンドル５に回動自在に固定して、第２軸部３２ｂを扉２ａに遊嵌してもよい。第２軸部３２ｂを固定して第１軸部３２ａを遊嵌した場合は、カムレバー３１の押圧位置を一定にして安定して押圧することができる。
【００４０】
図１５〜図１８は扉２ａを開成する際のカム機構の動作を示す平面図である。図１５において、扉２ａの閉止状態では左右のカム機構はヒンジピン１１が第１溝カム２４の端部に配置された第１係止位置をとる。第１溝カム２４は後方へいくほど扉２ａの中央側に傾斜しているため、扉２ａの両側を引くことによる脱落が防止される。
【００４１】
扉２ａの左側のハンドル５の操作部５ａを引くと、前述の図１４に示すように、カムレバー３１によって左側のロック外カム１２が押圧され、扉２ａが本体部６から離隔する。図１６はこの時の状態を示している。左側のカム機構は、ヒンジピン１１が第１カム溝２４により相対的に案内され、ロック外カム１２とスライド外カム２２とが摺動する。右側のカム機構はヒンジピン１１が第２カム溝２５により相対的に案内される。これにより、扉２ａは回動しながら左方向にスライド移動する。
【００４２】
更にハンドル５を引くと左側のロック外カム１２からカムレバー３１が離れる。図１７はこの時の状態を示している。左側のカム機構は、上記と同様に、ヒンジピン１１が第１カム溝２４により相対的に案内され、ロック外カム１２とスライド外カム２２とが摺動する。右側のカム機構はヒンジピン１１が第２カム溝２５の端部に配置され、ボス２３がリブ１３と摺動を開始する。これにより、ヒンジピン１１は相対的なスライド移動が規制されるロック状態となり、回動自在に支持される。
【００４３】
更にハンドル５を引くと、図１８に示すように、左側のカム機構は係合を解除される。右側のカム機構は第２係止位置でボス２３がリブ１３に摺動し、スライド外カム２２がロック外カム１２を摺動案内する。そして、右側のカム機構が第２係止位置を維持して扉２ａが開放される。
【００４４】
上記の左右両開きの扉２ａは開成時に開く側の外側にスライド移動を伴う。ハンドル５の回動軸となるシャフト５１に対して操作部５ａが扉２ａの中央側に配置されるため、操作部５ａの操作力は開く側の外側に向かって働く。従って、容易に扉２ａをスライド移動させてより操作性のよい扉開閉機構を得ることができる。
【００４５】
本実施形態において、冷蔵室２の底壁をレバー部材３０により押圧しているが、冷蔵室２の側壁を押圧してもよい。また、左右両開きの回動式の扉２ａにハンドル５及びレバー部材３０を有する扉開閉機構を設けているが、扉２ａを面内で９０度回転してハンドル５を上下に配置した上下両開きの扉開閉機構（例えば、車のダッシュボードや皿洗い機の開閉扉等）であってもよい。また、貯蔵物を出し入れする開口部を上面に設けた冷凍庫等の扉開閉機構であってもよい。加えて、これらに用いられる扉開閉機構において、上下左右前後のいずれか一箇所を引いて扉が回動する片開きの扉開閉機構にしてもよい。
【００４６】
更に、前後にスライド移動する扉（例えば、冷蔵庫用のスライド式扉等）に本実施形態と同様の扉開閉機構を設けてもよい。この場合、例えばハンドル５の回動軸となるシャフト５１を扉２ａの左右方向の中央部に横設し、左右方向に所定の幅を有したハンドル５の操作部５ａをシャフト５１の下方に配置する。また、操作部５ａに対向する扉２ａの表面に凹部を設ける。
【００４７】
クランクシャフト３２は第２軸部３２ｂが左右方向に扉２ａの側面まで延びて形成され、カムレバー３１を扉２ａの側部の本体部６に対向配置する。これにより、操作部５ａの裏面の凹部に手指を挿入してハンドル５を引くと、カムレバー３１が扉２ａ側方の本体部６を押圧して扉２ａを本体部６から所定間隔離隔させることができる。尚、ハンドル５の操作部５ａを、シャフト５１の上方に配置してもよい。
【産業上の利用可能性】
【００４８】
本発明は、冷蔵庫、車のダッシュボード、皿洗い機等の扉を開閉する扉開閉機構に利用することができる。
【図面の簡単な説明】
【００４９】
【図１】本発明の実施形態の冷蔵庫を示す正面図
【図２】本発明の実施形態の冷蔵庫のヒンジアングルを示す正面図
【図３】本発明の実施形態の冷蔵庫のヒンジアングルを示す平面図
【図４】本発明の実施形態の冷蔵庫のスライドカム部材を示す平面図
【図５】本発明の実施形態の冷蔵庫の扉のハンドル部分を示す正面断面図
【図６】本発明の実施形態の冷蔵庫の扉のハンドル部分を示す平面断面図
【図７】本発明の実施形態の冷蔵庫の扉のハンドル部分を示す側面断面図
【図８】図５のＡ−Ａ断面図
【図９】本発明の実施形態の冷蔵庫のハンドル本体部を示す図
【図１０】本発明の実施形態の冷蔵庫のハンドル補強アングルを示す図
【図１１】本発明の実施形態の冷蔵庫のハンドル装飾板を示す図
【図１２】本発明の実施形態の冷蔵庫のクランクシャフトを示す正面図
【図１３】本発明の実施形態の冷蔵庫のシャフトカバーを示す図
【図１４】本発明の実施形態の冷蔵庫の扉開成時のハンドル部分を示す平面断面図
【図１５】本発明の実施形態の冷蔵庫の扉開成時のカム機構の動作を示す平面図
【図１６】本発明の実施形態の冷蔵庫の扉開成時のカム機構の動作を示す平面図
【図１７】本発明の実施形態の冷蔵庫の扉開成時のカム機構の動作を示す平面図
【図１８】本発明の実施形態の冷蔵庫の扉開成時のカム機構の動作を示す平面図
【符号の説明】
【００５０】
１    冷蔵庫
２    冷蔵室
２ａ  扉
３    野菜室
４    冷凍室
５    ハンドル
５ａ  操作部
６    本体部
１０    ヒンジアングル
１１    ヒンジピン
１２    ロック外カム
１３    リブ
２０    スライドカム部材
２２    スライド外カム
２３    ボス
２４    第１溝カム
２５    第２溝カム
３０    レバー部材
３１    カムレバー（当接部）
３２    クランクシャフト
３２ａ  第１軸部（連結部）
３２ｂ  第２軸部（支持部）
５１    シャフト
５２    ハンドル本体部
５３    ハンドル補強アングル
５３ａ  長孔
５４    ハンドル装飾板
５６    シャフトカバー
【図１】
2006125122.tif 000003
【図２】
2006125122.tif 000004
【図３】
2006125122.tif 000005
【図４】
2006125122.tif 000006
【図５】
2006125122.tif 000007
【図６】
2006125122.tif 000008
【図７】
2006125122.tif 000009
【図８】
2006125122.tif 000010
【図９】
2006125122.tif 000011
【図１０】
2006125122.tif 000012
【図１１】
2006125122.tif 000013
【図１２】
2006125122.tif 000014
【図１３】
2006125122.tif 000015
【図１４】
2006125122.tif 000016
【図１５】
2006125122.tif 000017
【図１６】
2006125122.tif 000018
【図１７】
2006125122.tif 000019
【図１８】
2006125122.tif 000020
【手続補正書】
【提出日】平成17年12月7日(2005.12.7)
【手続補正１】
【補正対象書類名】特許請求の範囲
【補正対象項目名】請求項８
【補正方法】変更
【補正の内容】
【請求項８】
開口部を有した本体部に取り付けられる扉を前記開口部の周囲に接離して前記開口部を開閉する扉開閉機構において、
支軸により前記扉に軸支されるとともに操作部を把持して回動されるハンドルと、
前記支軸に対して前記操作部と同じ側の回動中心を有して該回動中心と前記支軸との間で前記ハンドルに連結されるとともに、前記ハンドルの回動時の操作力が増幅して伝えられる連結部と、
前記連結部の回動中心に対して前記連結部と反対側に配され、前記連結部と一体に回転して前記連結部の回転力が伝えられるとともに、前記開口部の周囲に対向配置される当接部と、
を有する倍力機構を備え、前記ハンドルを回動した際に前記当接部が前記本体部を押圧して前記扉を前記開口部の周囲から所定間隔離隔させることを特徴とする扉開閉機構。
【手続補正２】
【補正対象書類名】明細書
【補正対象項目名】００１４
【補正方法】変更
【補正の内容】
【００１４】
また本発明は、開口部を有した本体部に取り付けられる扉を前記開口部の周囲に接離して前記開口部を開閉する扉開閉機構において、
支軸により前記扉に軸支されるとともに操作部を把持して回動されるハンドルと、
前記支軸に対して前記操作部と同じ側の回動中心を有して該回動中心と前記支軸との間で前記ハンドルに連結されるとともに、前記ハンドルの回動時の操作力が増幅して伝えられる連結部と、
前記連結部の回動中心に対して前記連結部と反対側に配され、前記連結部と一体に回転して前記連結部の回転力が伝えられるとともに、前記開口部の周囲に対向配置される当接部と、
を有する倍力機構を備え、前記ハンドルを回動した際に前記当接部が前記本体部を押圧して前記扉を前記開口部の周囲から所定間隔離隔させることを特徴としている。この構成によると、ハンドルを把持して引くと倍力機構により操作力が増幅されて当接部に伝えられ、当接部により開口部の周囲を押圧して扉が開かれる。